(57)【特許請求の範囲】
【請求項１】
記録媒体に記録されたトランスポートストリームを再生する再生手段と、
前記トランスポートストリームに含まれる各ピクチャの先頭または末尾の部分をピクチャ位置情報として検出するピクチャ位置検出手段と、
再生指示に基づき前記再生手段の制御を行う制御手段とを備え、
前記再生手段は、前記制御手段からの制御を受けると、前記ピクチャ位置情報に基づき、前記トランスポートストリームを前記ピクチャ単位で再生、特殊再生または再生の停止のいずれかを行うことを特徴とするトランスポートストリーム再生装置。
【請求項２】
前記ピクチャ位置検出手段は、前記トランスポートストリームをＤＡＵ単位で格納するメモリ手段と、
前記メモリ手段に格納されたトランスポートストリームから、前記ピクチャ部分以外のデータ部分を除去するフィルタ手段と、
前記フィルタ手段から出力されたデータを参照して、前記ピクチャの先頭または末尾部分を検出する第１の検出手段とを備えたことを特徴とする請求項１に記載のトランスポートストリーム再生装置。
【請求項３】
前記ピクチャ位置検出手段は、前記トランスポートストリームをＤＡＵ単位で格納するメモリ手段と、
前記メモリ手段に格納されたトランスポートストリームから、前記ピクチャ部分以外のデータ部分を除去するフィルタ手段と、
前記フィルタ手段から出力されたデータを参照して、前記データ内に含まれるＰＥＳヘッダを検出する第２の検出手段とを備えたことを特徴とする請求項１に記載のトランスポートストリーム再生装置。
【請求項４】
送られてくるトランスポートストリームの入力を受け付ける入力手段と、
前記入力手段に入力した前記トランスポートストリームに含まれる各ピクチャの先頭または末尾の部分をピクチャ位置情報として検出するピクチャ位置検出手段と、
前記入力手段に入力した前記トランスポートストリームを送出する送出手段と、
前記送出手段の制御を行う制御手段とを備え、
前記送出手段は、前記制御手段からの制御を受けると、前記ピクチャ位置情報に基づき、前記トランスポートストリームを前記ピクチャ単位で送出、または送出の停止を行うことを特徴とするトランスポートストリーム処理装置。
【請求項５】
前記送られてくるトランスポートストリームは、記録媒体から再生されたものであることを特徴とする請求項４に記載のトランスポートストリーム処理装置。
【請求項６】
前記送られてくるトランスポートストリームは、放送されているものであることを特徴とする請求項４に記載のトランスポートストリーム処理装置。
【請求項７】
前記送出手段は、前記トランスポートストリームの送出の時間間隔を大きくして送出することを特徴とする請求項４に記載のトランスポートストリーム処理装置。
【請求項８】
前記ピクチャ位置検出手段は、前記トランスポートストリームを所定の単位で格納するメモリ手段と、
前記メモリ手段に格納されたトランスポートストリームから、前記ピクチャ部分以外のデータ部分を除去するフィルタ手段と、
前記フィルタ手段から出力されたデータを参照して、前記ピクチャの先頭または末尾部分を検出する第１の検出手段とを備えたことを特徴とする請求項４に記載のトランスポートストリーム処理装置。
【請求項９】
前記ピクチャ位置検出手段は、前記トランスポートストリームを所定単位で格納するメモリ手段と、
前記メモリ手段に格納されたトランスポートストリームから、前記ピクチャ部分以外のデータ部分を除去するフィルタ手段と、
前記フィルタ手段から出力されたデータを参照して、前記データ内に含まれるＰＥＳヘッダを検出する第２の検出手段とを備えたことを特徴とする請求項４に記載のトランスポートストリーム処理装置。
【請求項１０】
記録媒体に記録されたトランスポートストリームを再生する再生手段と、
一時停止の入力を行う入力手段と、
前記入力手段への入力に基づき、前記再生手段により再生されたトランスポートストリームに含まれる最後のピクチャの最後のパケットのヘッダを検出するヘッダ検出手段と、
前記検出されたヘッダの情報を書き換える書き換え手段とを備え、
前記一時停止が行われた際に、前記再生手段により再生されたトランスポートストリームに含まれる最後のピクチャが、静止画として表示されることを特徴とするトランスポートストリーム再生装置。
【請求項１１】
送られてくるトランスポートストリームの入力を受ける入力手段と、
一時停止の入力を行う一時停止入力手段と、
前記一時停止入力手段への入力に基づき、前記入力手段により入力されたトランスポートストリームに含まれる最後のピクチャの最後のパケットのヘッダを検出するヘッダ検出手段と、
前記検出されたヘッダの情報を書き換える書き換え手段とを備え、
前記一時停止が行われた際に、前記入力手段により入力されたトランスポートストリームに含まれる最後のピクチャが、静止画として表示されることを特徴とするトランスポートストリーム処理装置。
【請求項１２】
請求項１０に記載のトランスポートストリーム再生装置または請求項１１に記載のトランスポートストリーム処理装置から出力されるトランスポートストリームを直接的または間接的に入力する入力手段と、
前記入力したトランスポートストリームを復号する復号手段とを備え、
前記復号手段は、前記最後のピクチャの最後のパケットのヘッダを参照して、前記最後のピクチャを静止画として処理することを特徴とするトランスポートストリーム処理装置。
【請求項１３】
記録媒体に記録されたトランスポートストリームを再生する再生工程と、
前記トランスポートストリームに含まれる各ピクチャの先頭または末尾の部分をピクチャ位置情報として検出するピクチャ位置検出工程と、
再生指示に基づき前記再生工程の制御を行う制御工程とを備え、
前記再生工程は、前記制御工程からの制御を受けると、前記ピクチャ位置情報に基づき、前記トランスポートストリームを前記ピクチャ単位で再生、特殊再生または再生の停止のいずれかを行うトランスポートストリーム再生方法。
【請求項１４】
送られてくるトランスポートストリームの入力を受け付ける入力工程と、
前記入力工程により入力した前記トランスポートストリームに含まれる各ピクチャの先頭または末尾の部分をピクチャ位置情報として検出するピクチャ位置検出工程と、
前記入力工程により入力した前記トランスポートストリームを送出する送出工程と、
前記送出工程の制御を行う制御工程とを備え、
前記送出工程は、前記制御工程の制御を受けると、前記ピクチャ位置情報に基づき、前記トランスポートストリームを前記ピクチャ単位で送出、または送出の停止を行うトランスポートストリーム処理方法。
【請求項１５】
記録媒体に記録されたトランスポートストリームを再生する再生工程と、
一時停止の入力を行う入力工程と、
前記入力工程の入力に基づき、前記再生工程により再生されたトランスポートストリームに含まれる最後のピクチャの最後のパケットのヘッダを検出するヘッダ検出工程と、
前記検出されたヘッダの情報を書き換える書き換え工程とを備え、
前記一時停止が行われた際に、前記再生工程により再生されたトランスポートストリームに含まれる最後のピクチャが、静止画として表示されるトランスポートストリーム再生方法。
【請求項１６】
送られてくるトランスポートストリームの入力を受ける入力工程と、
一時停止の入力を行う一時停止入力工程と、
前記一時停止入力工程の入力に基づき、前記入力工程により入力されたトランスポートストリームに含まれる最後のピクチャの最後のパケットのヘッダを検出するヘッダ検出工程と、
前記検出されたヘッダの情報を書き換える書き換え工程とを備え、
前記一時停止が行われた際に、前記入力工程により入力されたトランスポートストリームに含まれる最後のピクチャが、静止画として表示されるトランスポートストリーム処理方法。
【発明の詳細な説明】
【０００１】
【発明の属する技術分野】
本発明は、トランスポートストリームの再生または記録等に用いられる、トランスポートストリーム再生装置、トランスポートストリーム処理装置等に関する。
【０００２】
【従来の技術】
近年、ＭＰＥＧ等の画像圧縮技術の発達に伴い、デジタル放送が実用化されている。
【０００３】
ＭＰＥＧにおいては、ＡＶデータは時間相関圧縮、ＤＣＴ（離散コサイン変換）、可変長符号化といった工程を経てエンコードされ、エンコードされたデータは、複数のトランスポートパケットからなるトランスポートストリームとして出力される。
【０００４】
このようなトランスポートストリームは、例えば放送局等から放送され、各家庭に設置された復号装置（デコーダ）によって復号（デコード）され、ＡＶデータとして視聴される。また、放送されたトランスポートストリームは、一時的にハードディスクドライブ（ＨＤＤ）等の記録装置に記録され、ユーザの操作によって、所望の時刻に再生、視聴される。このとき、ユーザはスロー再生や一時停止、ジャンプ再生などの特殊再生を行うことができる。
【０００５】
図６（ａ）（ｂ）は、従来の技術によるトランスポートストリーム記録再生装置の第１例の構成図である。図６（ａ）に示すように、トランスポートストリーム記録再生装置の記録部６１０において、ピクチャ関連情報抽出手段６１１は、放送されたトランスポートストリーム６３０から、それに含まれるＩピクチャ、Ｂピクチャ、Ｐピクチャの各ピクチャの区切りとなるパケットまたは挿入コードの位置を抽出する手段、フォーマット手段６１２は、トランスポートストリームの入力を受けると、これを記録媒体６１３に記録するためのＤＡＵ（ディスク・アクセス・ユニット）単位にフォーマットする手段、記録媒体６１３はトランスポートストリーム６３０をＤＡＵ単位で記録する手段である。
【０００６】
次に、図６（ｂ）に示すように、トランスポートストリーム記録再生装置の再生部６２０において、逆フォーマット手段６２１は記録媒体６１３に記録されたＤＡＵを読み出して、元のトランスポートストリームに復元する手段、ピクチャ切り出し手段は、逆フォーマットにより得られたトランスポートストリームを、Ｉピクチャ、Ｂピクチャ、Ｐピクチャの各ピクチャ単位で切り出して出力する手段、ＰＩＤフィルタ６２３は、入力したトランスポートストリームに含まれている映像信号パケット以外のパケットやＰＣＲ、ＰＭＴを削除する手段、付加情報付加手段６２４は、ＰＩＤフィルタから出力したトランスポートストリームに新たな付加情報を付加する手段である。
【０００７】
このような構成を有する従来のトランスポートストリーム記録再生装置の動作を以下に説明する。
【０００８】
はじめに、記録時の動作を説明する。ピクチャ関連情報抽出手段６１１は、外部から放送されたトランスポートストリーム６３０の入力を受けると、これからＩ、Ｂ、Ｐの各ピクチャの先頭位置を示す情報となるピクチャヘッダを抽出し、特再情報６３１として、トランスポートストリームと平行してフォーマット手段６１２へ出力する。フォーマット手段６１２は、トランスポートストリームと特再情報６３１との入力を受けると、これらから、ＤＡＵ６３２を作成する。ＤＡＵは、トランスポートストリームの保存や再生時の単位であり、実データ部分とその実データを管理するためのヘッダ部分とからなる。フォーマット手段６１２は、取得した特再情報を、このヘッダ部分に格納して、ＤＡＵを作成する。作成されたＤＡＵ６３２は、記録媒体６１３に記録される。
【０００９】
次に、再生時の動作を説明する。逆フォーマット手段６２１は、記録媒体６１３からＤＡＵ６３２を読み出すと、これを元のトランスポートストリームの形式に再変換する。このとき、ＤＡＵのヘッダ部分から特再情報６３１を読み出して、トランスポートストリーム６３０とは別個に出力する。
【００１０】
ピクチャ切り出し手段６２２は、トランスポートストリーム６３０と特再情報６３１との入力をそれぞれ受けると、特再情報６３１を参照して、入力したトランスポートストリームを、Ｉ、Ｂ、Ｐの各ピクチャ単位で送り出す。送り出された各ピクチャ単位のトランスポートストリームは、ＰＩＤフィルタ６２３に入力すると、それまで含んでいた、放送時に設定されていたＰＣＲやＰＭＴといった情報を除去され、映像信号の実データ部分のみからなるトランスポートストリーム６３３として出力される。
【００１１】
付加情報付加手段６２４は、トランスポートストリーム６３３の入力を受けると、これにあらたにＰＣＲ、ＰＭＴ、ＰＡＴ、ＳＩＴといった情報を付加し、再生されたトランスポートストリーム６３４として外部へ出力する。
【００１２】
以上の動作において、外部からの制御により、ピクチャ切り出し手段６２２にて、各ピクチャの送り出しの時間間隔を大きくとることによって、スロー再生を行うことができる。また、各ピクチャの送り出しの時間間隔を小さく取ったり、Ｉピクチャのみを送り出すようにすることによって、早回し再生を行うことができる。
【００１３】
また、図７（ａ）に、トランスポートストリーム記録再生装置の再生部の他の構成例を示す。図において、ピクチャ切り出し手段７２２は、図６のピクチャ切り出し手段６２２と同様の動作を行い、さらに外部からの停止入力を受けて、トランスポートストリームの出力を停止する手段である。なお、図示しないが、ピクチャ切り出し手段７２２は、図６のトランスポートストリーム記録再生装置の再生部６２０において、ピクチャ切り出し手段６２２の代わりに配置して動作することができるものである。
【００１４】
このようなピクチャ切り出し手段７２２は、停止入力７０１の入力を受けると、入力したトランスポートストリーム６３０から、その停止入力を受けた時点のタイムスタンプを検出するとともに、図７（ｂ）に示す、再生したトランスポートストリームの最後のピクチャの最終端に位置するＰＥＳパケット７０３の次に位置するＰＥＳヘッダ７０４を検出し、このＰＥＳヘッダ７０４の直前までトランスポートストリーム７０２の送出を行うと、以後のトランスポートストリーム７０５の送出を停止する。
【００１５】
再び再生入力を受けた場合は、ＰＥＳヘッダ７０５の直後のトランスポートストリームが含むピクチャの先頭がＩピクチャである場合はそのまま送出を再開し、Ｂ、Ｐピクチャである場合は、最も先頭のＩピクチャの位置に移動してからトランスポートストリーム７０５の送出を再開する。
【００１６】
これにより、スキップ再生のように、記録媒体６１３から再生中のトランスポートストリームを一時停止した後で、記録媒体６１３内の別の記録箇所から再生を再開した場合でも、ノイズのないきれいな画像を送出することができる。
【００１７】
次に、図８（ａ）（ｂ）に、従来のＨＤＤに用いられるトランスポートストリーム再生装置を示す。
【００１８】
図８（ａ）においてＳＴＢ８０１は外部から放送されるトランスポートストリームの入力を受けて、これをデコードしてＡＶデータとして、図示しない外部のモニタ等へ出力する手段、ＨＤＤレコーダ８０２はＳＴＢ８０１が受信したトランスポートストリームの記録再生を行う手段である。
【００１９】
このようなＳＴＢ８０１とＨＤＤレコーダ８０２において、ＳＴＢ８０１が、ＨＤＤレコーダ８０２に記録されているトランスポートストリームを再生して、モニタへ出力している最中に、モニタからＡＶデータを視聴しているユーザが一時停止を行おうとした場合、ユーザはＳＴＢ８０１へ一時停止入力を行うことによって、ＨＤＤレコーダ８０２からデータが出力されている場合でも、モニタへの画面を一時停止の静止画として表示することができる。
【００２０】
一方、図８（ｂ）において、再生ＨＤＤレコーダ８０３は、記録したトランスポートストリームを再生して出力する手段であり、記録ＨＤＤレコーダ８０４は、外部から入力されたトランスポートストリームを記録する手段である。
【００２１】
このような再生ＨＤＤレコーダ８０３と記録ＨＤＤレコーダ８０４とにおいて、再生ＨＤＤレコーダ８０３から再生させたトランスポートストリームを記録ＨＤＤレコーダ８０４に記録させる場合、記録の途中で記録ＨＤＤレコーダ８０４を所望の時間一時停止させ、一方再生ＨＤＤレコーダ８０３の再生を継続させて、再び記録ＨＤＤレコーダ８０４の記録動作を再開させると、この所望の時間に再生されたトランスポートストリームは記録ＨＤＤレコーダ８０４には記録されていないので、編集が行われることになる。
【００２２】
【発明が解決しようとする課題】
しかしながら、図６、図８に示すトランスポートストリーム記録再生装置の再生動作、または一時動作は、トランスポートストリームに含まれた、各ピクチャの位置等の情報を利用するものであるが、これらのピクチャの位置に関する情報は、記録時にＤＡＵに予め特再情報として保持しておかなければならず、この分だけＤＡＵや記録媒体の容量を大きく取らなければならないという問題があった。
【００２３】
また、図８に示すＨＤＤレコーダにおいては、一時停止をＨＤＤレコーダ８０２や再生ＨＤＤレコーダ８０３側で行った場合、トランスポートストリームの送出が停止すると、ＳＴＢ８０１や記録ＨＤＤレコーダ８０４に無信号状態を出力することとなって視聴に不具合を来たしたり、記録期間に不要のブランク期間を生じることとなり、編集が行えないという不具合が生じる。
【００２４】
この不具合を防ぐには、ＨＤＤレコーダ８０２とＳＴＢ８０１、または再生ＨＤＤレコーダ８０３と記録ＨＤＤレコーダ８０４との間に、一方の機器に一時停止の制御入力が行われた場合、接続された他方の機器が、その入力を検知して、一方の機器の動作に合わせて一時停止を行うようにすればよいが、そのためにはＩＥＥＥ１３９４などの、接続した機器の動作状態を互いに知ることができる特殊なインタフェースを用いる必要があるという問題があった。
【００２５】
本発明は、上記の問題に鑑みてなされたものであり、記録媒体やＤＡＵにピクチャ関連の情報を保持することなく、特殊再生や一時停止を行うことが可能なトランスポートストリーム再生装置およびトランスポートストリーム処理装置等を提供することを目的とする。
【００２６】
また、本発明は、特殊なインタフェースを用いることなく、一時停止を行っても情報列が途切れることのないトランスポートストリーム再生装置およびトランスポートストリーム処理装置等を提供することを目的とする。
【００２７】
【課題を解決するための手段】
上記の目的を達成するために、第１の本発明（請求項１に対応）は、記録媒体に記録されたトランスポートストリームを再生する再生手段と、
前記トランスポートストリームに含まれる各ピクチャの先頭または末尾の部分をピクチャ位置情報として検出するピクチャ位置検出手段と、
再生指示に基づき前記再生手段の制御を行う制御手段とを備え、
前記再生手段は、前記制御手段からの制御を受けると、前記ピクチャ位置情報に基づき、前記トランスポートストリームを前記ピクチャ単位で再生、特殊再生または再生の停止のいずれかを行うことを特徴とするトランスポートストリーム再生装置である。
【００２８】
また、第２の本発明（請求項２に対応）は、前記ピクチャ位置検出手段は、前記トランスポートストリームをＤＡＵ単位で格納するメモリ手段と、
前記メモリ手段に格納されたトランスポートストリームから、前記ピクチャ部分以外のデータ部分を除去するフィルタ手段と、
前記フィルタ手段から出力されたデータを参照して、前記ピクチャの先頭または末尾部分を検出する第１の検出手段とを備えたことを特徴とする上記本発明である。
【００２９】
また、第３の本発明（請求項３に対応）は、前記ピクチャ位置検出手段は、前記トランスポートストリームをＤＡＵ単位で格納するメモリ手段と、
前記メモリ手段に格納されたトランスポートストリームから、前記ピクチャ部分以外のデータ部分を除去するフィルタ手段と、
前記フィルタ手段から出力されたデータを参照して、前記データ内に含まれるＰＥＳヘッダを検出する第２の検出手段とを備えたことを特徴とする上記本発明である。
【００３０】
また、第４の本発明（請求項４に対応）は、送られてくるトランスポートストリームの入力を受け付ける入力手段と、
前記入力手段に入力した前記トランスポートストリームに含まれる各ピクチャの先頭または末尾の部分をピクチャ位置情報として検出するピクチャ位置検出手段と、
前記入力手段に入力した前記トランスポートストリームを送出する送出手段と、
前記送出手段の制御を行う制御手段とを備え、
前記送出手段は、前記制御手段からの制御を受けると、前記ピクチャ位置情報に基づき、前記トランスポートストリームを前記ピクチャ単位で送出、または送出の停止を行うことを特徴とするトランスポートストリーム処理装置である。
【００３１】
また、第５の本発明（請求項５に対応）は、前記送られてくるトランスポートストリームは、記録媒体から再生されたものであることを特徴とする上記本発明である。
【００３２】
また、第６の本発明（請求項６に対応）は、前記送られてくるトランスポートストリームは、放送されているものであることを特徴とする上記本発明である。
【００３３】
また、第７の本発明（請求項７に対応）は、前記送出手段は、前記トランスポートストリームの送出の時間間隔を大きくして送出することを特徴とする上記本発明である。
【００３４】
また、第８の本発明（請求項８に対応）は、前記ピクチャ位置検出手段は、前記トランスポートストリームを所定の単位で格納するメモリ手段と、
前記メモリ手段に格納されたトランスポートストリームから、前記ピクチャ部分以外のデータ部分を除去するフィルタ手段と、
前記フィルタ手段から出力されたデータを参照して、前記ピクチャの先頭または末尾部分を検出する第１の検出手段とを備えたことを特徴とする上記本発明である。
【００３５】
また、第９の本発明（請求項９に対応）は、前記ピクチャ位置検出手段は、前記トランスポートストリームを所定単位で格納するメモリ手段と、
前記メモリ手段に格納されたトランスポートストリームから、前記ピクチャ部分以外のデータ部分を除去するフィルタ手段と、
前記フィルタ手段から出力されたデータを参照して、前記データ内に含まれるＰＥＳヘッダを検出する第２の検出手段とを備えたことを特徴とする上記本発明である。
【００３６】
また、第１０の本発明（請求項１０に対応）は、記録媒体に記録されたトランスポートストリームを再生する再生手段と、
一時停止の入力を行う入力手段と、
前記入力手段への入力に基づき、前記再生手段により再生されたトランスポートストリームに含まれる最後のピクチャの最後のパケットのヘッダを検出するヘッダ検出手段と、
前記検出されたヘッダの情報を書き換える書き換え手段とを備え、
前記一時停止が行われた際に、前記再生手段により再生されたトランスポートストリームに含まれる最後のピクチャが、静止画として表示されることを特徴とするトランスポートストリーム再生装置である。
【００３７】
また、第１１の本発明（請求項１１に対応）は、送られてくるトランスポートストリームの入力を受ける入力手段と、
一時停止の入力を行う一時停止入力手段と、
前記一時停止入力手段への入力に基づき、前記入力手段により入力されたトランスポートストリームに含まれる最後のピクチャの最後のパケットのヘッダを検出するヘッダ検出手段と、
前記検出されたヘッダの情報を書き換える書き換え手段とを備え、
前記一時停止が行われた際に、前記入力手段により入力されたトランスポートストリームに含まれる最後のピクチャが、静止画として表示されることを特徴とするトランスポートストリーム処理装置である。
【００３８】
また、第１２の本発明（請求項１２に対応）は、第１０の本発明のトランスポートストリーム再生装置または第１１の本発明のトランスポートストリーム処理装置から出力されるトランスポートストリームを直接的または間接的に入力する入力手段と、
前記入力したトランスポートストリームを復号する復号手段とを備え、
前記復号手段は、前記最後のピクチャの最後のパケットのヘッダを参照して、前記最後のピクチャを静止画として処理することを特徴とするトランスポートストリーム処理装置である。
【００３９】
また、第１３の本発明（請求項１３に対応）は、記録媒体に記録されたトランスポートストリームを再生する再生工程と、
前記トランスポートストリームに含まれる各ピクチャの先頭または末尾の部分をピクチャ位置情報として検出するピクチャ位置検出工程と、
再生指示に基づき前記再生工程の制御を行う制御工程とを備え、
前記再生工程は、前記制御工程からの制御を受けると、前記ピクチャ位置情報に基づき、前記トランスポートストリームを前記ピクチャ単位で再生、特殊再生または再生の停止のいずれかを行うトランスポートストリーム再生方法である。
【００４０】
また、第１４の本発明（請求項１４に対応）は、送られてくるトランスポートストリームの入力を受け付ける入力工程と、
前記入力工程により入力した前記トランスポートストリームに含まれる各ピクチャの先頭または末尾の部分をピクチャ位置情報として検出するピクチャ位置検出工程と、
前記入力工程により入力した前記トランスポートストリームを送出する送出工程と、
前記送出工程の制御を行う制御工程とを備え、
前記送出工程は、前記制御工程の制御を受けると、前記ピクチャ位置情報に基づき、前記トランスポートストリームを前記ピクチャ単位で送出、または送出の停止を行うトランスポートストリーム処理方法である。
【００４１】
また、第１５の本発明（請求項１５に対応）は、記録媒体に記録されたトランスポートストリームを再生する再生工程と、
一時停止の入力を行う入力工程と、
前記入力工程の入力に基づき、前記再生工程により再生されたトランスポートストリームに含まれる最後のピクチャの最後のパケットのヘッダを検出するヘッダ検出工程と、
前記検出されたヘッダの情報を書き換える書き換え工程とを備え、
前記一時停止が行われた際に、前記再生工程により再生されたトランスポートストリームに含まれる最後のピクチャが、静止画として表示されるトランスポートストリーム再生方法である。
【００４２】
また、第１６の本発明（請求項１６に対応）は、送られてくるトランスポートストリームの入力を受ける入力工程と、
一時停止の入力を行う一時停止入力工程と、
前記一時停止入力工程の入力に基づき、前記入力工程により入力されたトランスポートストリームに含まれる最後のピクチャの最後のパケットのヘッダを検出するヘッダ検出工程と、
前記検出されたヘッダの情報を書き換える書き換え工程とを備え、
前記一時停止が行われた際に、前記入力工程により入力されたトランスポートストリームに含まれる最後のピクチャが、静止画として表示されるトランスポートストリーム処理方法である。
【００５１】
【発明の実施の形態】
以下、本発明の実施の形態を、図面を参照して説明する。
【００５２】
（実施の形態１）
図１（ａ）（ｂ）は、本発明の実施の形態１によるトランスポートストリーム記録再生装置の構成図である。各図において、図６と同一部分または相当部分には、同一符号を付し説明を省略する。また図１（ａ）に示すように、記録部１１０において、フォーマット手段１１１は、トランスポートストリームの入力を受けると、これを記録媒体１１２に記録するためのＤＡＵ（ディスク・アクセス・ユニット）単位にフォーマットする手段、記録媒体１１２はトランスポートストリーム１３０をＤＡＵ単位で記録する手段である。
【００５３】
また、図１（ｂ）に示すように、再生部１２０において、逆フォーマット手段１２１は記録媒体１１２に記録されたＤＡＵを読み出して、元のトランスポートストリームに復元する手段、ピクチャ位置検出手段１１２２は、記録媒体１１２から読み出されたＤＡＵから、元のトランスポートストリームに含まれているＩピクチャ、Ｂピクチャ、Ｐピクチャの各ピクチャの位置を検出する手段、制御手段１２３は、ピクチャ位置検出手段１２２からの出力に基づきピクチャ切り出し手段１２１の動作を制御する手段、ピクチャ切り出し手段１２４は、逆フォーマットにより得られたトランスポートストリームを、Ｉピクチャ、Ｂピクチャ、Ｐピクチャの各ピクチャ単位で切り出して出力する手段である。
【００５４】
ただし、上記の構成において、逆フォーマット手段１２１およびピクチャ切り出し手段１２３は、本発明の再生手段の一例であり、ピクチャ位置検出手段１２２は本発明のピクチャ位置検出手段の一例であり、制御手段１２３は本発明の制御手段の一例である。
【００５５】
以上のような構成を有するトランスポートストリーム記録再生装置の動作を、以下に説明するとともに、これにより、本発明のトランスポートストリーム再生方法の一実施の形態の説明を行う。
【００５６】
はじめに、記録時の動作を説明する。フォーマット手段１１１は、外部から放送されたトランスポートストリーム１３０の入力を受けると、ＤＡＵ１３１を作成する。このとき従来例と異なり、ピクチャ位置等に関するデータは検出されず、トランスポートストリーム全体がそのままＤＡＵ化される。作成されたＤＡＵ１３１は、記録媒体１１２に記録される。
【００５７】
次に、再生時の動作を説明する。逆フォーマット手段１２１は、記録媒体１１２からＤＡＵ１３１を読み出すと、これを元のトランスポートストリーム１３０の形式に再変換する。
【００５８】
一方、読み出されたＤＡＵ１３１は、ピクチャ位置検出手段１２２へも出力される。
【００５９】
ピクチャ位置検出手段１２２は、ＤＡＵ１３１の入力を受けると、これに含まれる元のトランスポートストリーム内の、Ｉピクチャ、Ｂピクチャ、Ｐピクチャの各ピクチャの位置を検出し、ピクチャ位置情報１３２として制御手段１２３に入力する。
【００６０】
制御手段１２３は、ピクチャ位置情報１３２の入力を受けると、これに基づきピクチャ切り出し手段１２４の動作を制御する。すなわち、ピクチャ切り出し手段１２４は、トランスポートストリーム１３０の入力を受けると、制御手段１２３からの制御入力に基づき、入力したトランスポートストリームを、Ｉ、Ｂ、Ｐの各ピクチャ単位で読み出す。以後の動作は、従来例と同様に行われ、外部へ送出されるトランスポートストリーム１３３が得られる。
【００６１】
このとき、ピクチャ切り出し手段１２４における各ピクチャの送り出しが  制御手段１２３への外部からの制御によって、各ピクチャの送り出しの時間間隔を大きくとるようにすると、スロー再生を行うことができる。また、各ピクチャの送り出しの時間間隔を小さく取ったり、Ｉピクチャのみを送り出すようにすることによって、早回し再生を行うことができる。
【００６２】
また、上記の動作において、ピクチャ位置検出手段１２２が、ピクチャ位置情報として、ＰＥＳヘッダの直前、すなわちあるピクチャを構成する最後のパケットの位置を検出することにより、図７に示す従来の構成例の動作と同様に、記録媒体１１２から再生中のトランスポートストリームを一時停止した後で、記録媒体１１２内の別の記録箇所から再生を再開するスキップ再生を行う場合でも、ノイズのないきれいな画像を送出することができる。
【００６３】
ここで、図２にピクチャ位置検出手段１２２の構成の一例を示す。図に示すように、ピクチャ位置検出手段１２２において、ＳＤＲＡＭ２００は、記録媒体１１２から入力したＤＡＵ１３２を一時保存する手段、ＳＤＲＡＭ制御部２０１はＣＰＵ２０２の制御に基づき、ＳＤＲＡＭ２００からデータ列を読み出す手段、ＰＩＤフィルタ２０３はＳＤＲＡＭ２００から読み出されたデータ列から、トランスポートストリーム等の情報を除去して、映像信号パケット部を抽出する手段、アダプテーションフィルタ２０４は、映像信号パケット内に含まれる各種情報を除去して、映像信号の実データ部を抽出する手段、レジスタ２０５はＣＰＵ２０２により設定された所定の値を有する手段、比較器２０６は、アダプテーションフィルタ２０４から得られた出力に、レジスタ２０５の所定の値があるかどうかを調べる手段である。ただしＳＤＲＡＭ２００、ＳＤＲＡＭ制御部２０１、ＣＰＵ２０２は本発明のメモリ手段の一例であり、ＰＩＤフィルタ２０３およびアダプテーションフィルタ２０４は本発明のフィルタ手段の一例であり、ＣＰＵ２０２、レジスタ２０５および比較器２０６は、本発明の第１の検出手段または第２の検出手段の一例である。
【００６４】
このようなピクチャ位置検出手段１１２の動作は、次のようなものである。ＳＤＲＡＭ２００は記録媒体１１２からＤＡＵの入力を受けるとこれを一時記録し、ＣＰＵ２０２からの命令によりＳＤＲＡＭ制御部２０１によりトランスポートパケット単位（パケット部分１８８バイト＋タイムスタンプ部分６バイト）で読み出される。読み出されたトランスポートパケットは、ＰＩＤフィルタ２０３を通過すると、トランスポートパケットのヘッダ、タイムスタンプ部分、さらにはＰＣＲパケットや、音声信号パケットなどの情報を除去され、映像信号パケットの部分だけとなって、アダプテーションフィルタ２０４へ出力される。このとき、ＰＩＤフィルタの情報選択の基準はＣＰＵ２０２によって設定される。
【００６５】
アダプターションフィルタ２０４は、映像信号パケットの入力を受けると、パケット内に含まれるＰＣＲなどの情報を除去して、該映像信号パケット内のデータを、映像信号の実データだけにして、比較器２０６へ出力する。比較器２０６は、映像信号の実データの入力を受けると、該実データに、レジスタ２０５に設定された値があるかどうかを調べる。ＭＰＥＧの場合、データ列２０７として「００  ００  ０１  ００」という並びが存在するとき、このデータ列はピクチャヘッド、すなわちピクチャの先頭部分を示すものとなる。比較器２０６は、ＤＡＵに含まれるトランスポートストリームにおいて、このデータ列２０７のある部分をピクチャ位置情報１３２として制御手段１２３へ出力する。
【００６６】
なお、上記の動作において、直接ピクチャヘッダを検出せずに、ＰＥＳヘッダの直前にある最後のパケットの位置を検出する場合は、レジスタ２０５に設定された値を「００  ００  ０１  Ｅ０」と変更すればよい。
【００６７】
このように、本実施の形態によれば、記録媒体から再生されるトランスポートストリームから、各ピクチャの位置を検出して、各ピクチャ単位でデータの再生を行うようにしたことで、記録媒体やＤＡＵにピクチャ位置に関する情報を保持する必要がなくなる。また、記録部においてピクチャ位置検出を行う必要がなくなるため、記録部の構成を簡略化することが可能となる。
【００６８】
特に、ピクチャ位置検出手段１２２をハードウェアとして実現する場合は、通常の再生が行われる場合でも十分な速度でピクチャ位置を検索することが可能となる。
【００６９】
なお、上記の実施の形態において、ピクチャ位置検出手段の構成は、図２に示すようなものとして、ピクチャの先頭の部分を検出するものとして説明を行ったが、本発明のピクチャ位置検出手段はこれに限定されるものではなく、各ピクチャの末尾の部分をピクチャ位置情報として検出するようにしてもよい。
【００７０】
（実施の形態２）
図３は、本発明の実施の形態２によるトランスポートストリーム処理装置の構成図である。図に示すように、入力手段３０１は、トランスポートストリームの入力を受けると、これをピクチャ位置検出手段３０２および送出手段３０４に分岐して出力する手段、ピクチャ位置検出手段３０２は、入力したトランスポートストリームに含まれているＩピクチャ、Ｂピクチャ、Ｐピクチャの各ピクチャの位置を検出する手段、制御手段３０３は、ピクチャ位置検出手段３０２からの出力に基づき送出手段３０４の動作を制御する手段、送出手段３０４は、逆フォーマットにより得られたトランスポートストリームを、Ｉピクチャ、Ｂピクチャ、Ｐピクチャの各ピクチャ単位で切り出して出力する手段である。
【００７１】
以上のような構成を有するトランスポートストリーム処理装置の動作を、以下に説明するとともに、これにより、本発明のトランスポートストリーム処理方法の一実施の形態の説明を行う。
【００７２】
入力手段３０１は、外部から放送されたトランスポートストリーム３１０の入力を受けると、これをピクチャ位置検出手段３０２および送出手段３０４に転送する。
【００７３】
ピクチャ位置検出手段３０２は、ＤＡＵの入力を受けると、これに含まれる元のトランスポートストリーム内の、Ｉピクチャ、Ｂピクチャ、Ｐピクチャの各ピクチャの位置を検出し、ピクチャ位置情報１３２として制御手段３０３に入力する。
【００７４】
制御手段３０３は、ピクチャ位置情報１３２の入力を受けると、これに基づき制御信号１３３にて送出手段３０４の動作を制御する。すなわち、送出手段３０４は、トランスポートストリーム３１０の入力を受けると、制御手段３０３からの制御信号１３３に基づき、入力したトランスポートストリームを、Ｉ、Ｂ、Ｐの各ピクチャ単位で送り出す。ピクチャ単位で送り出されたトランスポートストリームは、図示しない外部の記録媒体や復号装置に出力される。
【００７５】
以上の動作において、復号装置に送り出しを行う場合、送出手段３０４における各ピクチャの読み出しが  制御手段３０３への外部からの制御によって、各ピクチャの読み出しの時間間隔を大きくとるようにすると、スロー再生を行うことができる。このとき、送出手段３０４より手前のトランスポートストリームの経路にバッファがあるのが望ましい。
【００７６】
また、上記の動作において、ピクチャ位置検出手段３０２が、ピクチャ位置情報として、ＰＥＳヘッダの直前、すなわちあるピクチャを構成する最後のパケットの位置を検出することにより、図７に示す従来例と同様に、放送中のトランスポートストリームの視聴を一時した後で、再び視聴を再開する場合でも、ノイズのないきれいな映像を送出することができる。
【００７７】
また、ピクチャ位置検出手段３０２の構成は、実施の形態１における図２の構成例と同様としてもよく、ＳＤＲＡＭ２００に入力されるトランスポートストリームがＤＡＵではなく、トランスポートパケットのサイズなど、ＣＰＵ２０２により設定される所定のデータ単位であればよい。
【００７８】
なお、上記の説明においては、入力手段３０１に入力するトランスポートストリームは、放送されたものとして説明を行ったが、他の記録媒体から再生されたものであってもよい。この場合、送出手段３０４からの、各ピクチャの読み出しの時間間隔を小さく取ったり、Ｉピクチャのみを読み出しようにすることによって、早回し再生が可能なデータ送出を行うことができる。このとき、送出手段３０４より手前のトランスポートストリームの経路にバッファがあるのが望ましい。
【００７９】
なお、上記の実施の形態において、ピクチャ位置検出手段の構成は、図２に示すようなものとして、ピクチャの先頭の部分を検出するものとして説明を行ったが、本発明のピクチャ位置検出手段はこれに限定されるものではなく、各ピクチャの末尾の部分をピクチャ位置情報として検出するようにしてもよい。
【００８０】
（実施の形態３）
図４（ａ）は、本発明の実施の形態３によるトランスポートストリーム再生装置の構成図である。図に示すように、再生手段４０１は、図示しない記録媒体からトランスポートストリームを読み出す手段、制御手段４０２は、外部からの入力に基づき、再生手段４０１の動作を制御する手段、ヘッダ検出手段４０３は、制御手段４０２の動作と連動して、再生手段４０１から読み出されたトランスポートストリームに含まれているヘッダの位置を検出する手段、書き換え手段４０４は、再生手段４０１から再生されたトランスポートストリーム内の所定のパケットのヘッダの内容を書き換える手段である。
【００８１】
以上のような構成を有するトランスポートストリーム再生装置の動作を、以下に説明するとともに、これにより、本発明のトランスポートストリーム再生方法の一実施の形態の説明を行う。
【００８２】
はじめに、再生手段４０１は、制御手段４０２からの再生指示の下、記録媒体からトランスポートストリーム４１０を読み出す通常再生を行っているものとする。この通常再生動作中は、書き換え手段４０４は再生されたトランスポートストリーム４１０をそのままスルーさせる。また、ヘッダ検出手段４０３もトランスポートストリーム４１０の入力を受けている。
【００８３】
次に、外部からの入力により、制御手段４０２が、トランスポートストリームの再生を一時停止する制御命令を再生手段４０１およびヘッダ検出手段４０３に出力する。
【００８４】
再生手段４０１は、一時停止の制御命令を受けると、該制御命令を受ける時まで再生したトランスポートストリームを書き換え手段４０４へ出力する。
【００８５】
一方ヘッダ検出手段４０３は、一時停止の制御命令を受けると、図４（ｂ）に示すように、該制御命令を受けた時刻を記憶しておき、再生手段４０１から入力するトランスポートストリーム内のタイムスタンプを監視するなどの方法により、この一時停止時刻４１１までに入力したトランスポートストリーム４１２から、最後のＰＥＳヘッダ４１３を検出し、その位置を検出情報４１４として書き換え手段４０４に出力する。
【００８６】
書き換え手段４０４は、ヘッダ検出手段４０３から検出情報４１４を取得すると、入力するトランスポートストリームから、検出情報に対応するＰＥＳヘッダ４１３を取得し、そこに含まれるＤＳＭ ｔｒｉｃｋ  ｆｌａｇをオンに書き換えるとともに、ＤＳＭフィールドに画面フリーズのステータスを記述してから、外部へ送出する。
【００８７】
この書き換え手段４０４から出力されたトランスポートストリームを受信したＳＴＢは、自らの動作状態に他の制御がなされていない限り、トランスポートストリームを復号する際に、書き換えられたＰＥＳヘッダを読み取ると、ヘッダに含まれるＤＳＭフラグがオンになったことを読み取り、このＰＥＳヘッダが付加されたピクチャを静止画として出力する。
【００８８】
また、この書き換え手段４０４から出力されたトランスポートストリームを記録している機器がＨＤＤレコーダである場合は、自らの動作状態に他の制御がなされていない限り、トランスポートストリームを記録する際に、書き換えられたＰＥＳヘッダを読み取ると、ヘッダに含まれるＤＳＭフラグがオンになったことを読み取ると、記録動作を一時停止する。
【００８９】
このように、本実施の形態によれば、記録媒体から再生されるトランスポートストリームにおいて、一時停止時に最後に送出されたピクチャのＰＥＳパケットを検出して、パケットのＰＥＳヘッダ内のＤＳＭフラグを静止画表示に書き換えて送出するようにしたことで、再生されるトランスポートストリームを受け入れるＳＴＢやＨＤＤといった機器に対して直接一時停止の制御入力を行ったり、再生するＨＤＤレコーダと受け入れる機器との接続に特別なインタフェースを用いる必要なく、再生側の制御だけでデータの一時停止を行うことが可能となる。ＤＡＵにピクチャ位置に関する情報を保持する必要がなくなる。また、記録部においてピクチャ位置検出を行う必要がなくなるため、記録部の構成を簡略化することが可能となる。
【００９０】
なお、上記の説明において、本実施の形態によるトランスポートストリーム再生装置から再生されたトランスポートストリームを受信する装置は、ＳＴＢまたはＨＤＤレコーダとして説明を行ったが、本発明のトランスポートストリーム処理装置はこれに限定する必要はなく、書き換えられたヘッダを読み取り、その内容に基づいて静止画の信号を出力できるものであれば、デコーダやチューナ、Ｄ−ＶＨＳなど他の機器として実現してもよい。
【００９１】
（実施の形態４）
図５は、本発明の実施の形態４によるトランスポートストリーム処理装置の構成図である。図に示すように、入力手段５０１は、図示しないで送られてくるトランスポートストリームを読み出す手段、制御手段５０３は、外部からの入力に基づき、入力手段５０１の動作を制御する手段、ヘッダ検出手段５０３は、制御手段５０３の動作と連動して、入力手段５０１から読み出されたトランスポートストリームに含まれているヘッダの位置を検出する手段、書き換え手段５０４は、入力手段５０１から再生されたトランスポートストリーム内の所定のパケットのヘッダの内容を書き換える手段である。なお、入力手段５０１は本発明の入力手段および一時停止入力手段に相当する。
【００９２】
以上のような構成を有するトランスポートストリーム処理装置の動作を、以下に説明するとともに、これにより、本発明のトランスポートストリーム処理方法の一実施の形態の説明を行う。
【００９３】
はじめに、入力手段５０１は、制御手段５０３からの再生指示の下、例えば、放送局から送出されるトランスポートストリーム５１０を読み出す通常再生を行っているものとする。この通常再生動作中は、書き換え手段５０４は再生されたトランスポートストリームをそのままスルーさせる。また、ヘッダ検出手段５０３もトランスポートストリームの入力を受けている。
【００９４】
次に、外部からの入力により、制御手段５０３が、トランスポートストリームの入力を一時停止する制御命令を入力手段５０１およびヘッダ検出手段５０３に出力する。
【００９５】
入力手段５０１は、一時停止の制御命令を受けると、該制御命令を受ける時まで再生したトランスポートストリームを書き換え手段５０４へ出力する。
【００９６】
一方ヘッダ検出手段５０３は、一時停止の制御命令を受けると、実施の形態３と同様、図４（ｂ）に示すように、該制御命令を受けた時刻を記憶しておき、入力手段５０１から入力するトランスポートストリーム内のタイムスタンプを監視するなどの方法により、この一時停止時刻４１１までに入力したトランスポートストリームから、最後のＰＥＳヘッダを検出し、その位置を検出情報として書き換え手段５０４に出力する。
【００９７】
書き換え手段５０４は、ヘッダ検出手段５０３から検出情報を取得すると、入力するトランスポートストリームから、検出情報に対応するＰＥＳヘッダを取得し、そこに含まれるＤＳＭ ｔｒｉｃｋ  ｆｌａｇをオンに書き換えるとともに、ＤＳＭフィールドに画面フリーズのステータスを記述してから、外部へ送出する。
【００９８】
この書き換え手段５０４から出力されたトランスポートストリームを受信したＳＴＢは、自らの動作状態に他の制御がなされていない限り、トランスポートストリームを復号する際に、書き換えられたＰＥＳヘッダを読み取ると、ヘッダに含まれるＤＳＭフラグがオンになったことを読み取り、このＰＥＳヘッダが付加されたピクチャを静止画として出力する。
【００９９】
また、この書き換え手段５０４から出力されたトランスポートストリームを記録している機器がＨＤＤレコーダである場合は、自らの動作状態に他の制御がなされていない限り、トランスポートストリームを記録する際に、書き換えられたＰＥＳヘッダを読み取ると、ヘッダに含まれるＤＳＭフラグがオンになったことを読み取ると、記録動作を一時停止する。
【０１００】
このように、本実施の形態によれば、記録媒体から再生されるトランスポートストリームにおいて、一時停止時に最後に送出されたピクチャのＰＥＳパケットを検出して、パケットのＰＥＳヘッダ内のＤＳＭフラグを静止画表示に書き換えて送出するようにしたことで、再生されるトランスポートストリームを受け入れるＳＴＢやＨＤＤといった機器に対して直接一時停止の制御入力を行ったり、再生するＨＤＤレコーダと受け入れる機器との接続に特別なインタフェースを用いる必要なく、再生側の制御だけでデータの一時停止を行うことが可能となる。ＤＡＵにピクチャ位置に関する情報を保持する必要がなくなる。また、記録部においてピクチャ位置検出を行う必要がなくなるため、記録部の構成を簡略化することが可能となる。
【０１０１】
なお、上記の説明において、本実施の形態によるトランスポートストリーム再生装置から再生されたトランスポートストリームを受信する装置は、ＳＴＢまたはＨＤＤレコーダとして説明を行ったが、本発明のトランスポートストリーム処理装置はこれに限定する必要はなく、書き換えられたヘッダを読み取り、その内容に基づいて静止画の信号を出力できるものであれば、デコーダやチューナ、Ｄ−ＶＨＳなど他の機器として実現してもよい。
【０１０２】
なお、本発明は、上述した本発明のトランスポートストリーム再生装置または処理装置の全部または一部の手段（または、装置、素子、回路、部等）の機能をコンピュータにより実行させるためのプログラムであって、コンピュータと協働して動作するプログラムである。
【０１０３】
また、本発明は、上述した本発明のトランスポートストリーム再生装置または処理装置の全部または一部の手段の全部または一部の機能をコンピュータにより実行させるためのプログラムを担持した媒体であり、コンピュータにより読み取り可能且つ、読み取られた前記プログラムが前記コンピュータと協動して前記機能を実行する媒体である。
【０１０４】
なお、本発明の一部の手段（または、装置、素子、回路、部等）、本発明の一部のステップ（または、工程、動作、作用等）とは、それらの複数の手段またはステップの内の、幾つかの手段またはステップを意味し、あるいは、一つの手段またはステップの内の、一部の機能または一部の動作を意味するものである。
【０１０５】
また、本発明の一部の装置（または、素子、回路、部等）とは、それらの複数の装置の内の、幾つかの装置を意味し、あるいは、一つの装置の内の、一部の手段（または、素子、回路、部等）を意味し、あるいは、一つの手段の内の、一部の機能を意味するものである。
【０１０６】
また、本発明のプログラムを記録した、コンピュータに読みとり可能な記録媒体も本発明に含まれる。
【０１０７】
また、本発明のプログラムの一利用形態は、コンピュータにより読み取り可能な記録媒体に記録され、コンピュータと協働して動作する態様であっても良い。
【０１０８】
また、本発明のプログラムの一利用形態は、伝送媒体中を伝送し、コンピュータにより読みとられ、コンピュータと協働して動作する態様であっても良い。
【０１０９】
また、本発明のデータ構造としては、データベース、データフォーマット、データテーブル、データリスト、データの種類などを含む。
【０１１０】
また、記録媒体としては、ＲＯＭ等が含まれ、伝送媒体としては、インターネット等の伝送機構、光・電波・音波等が含まれる。
【０１１１】
また、上述した本発明のコンピュータは、ＣＰＵ等の純然たるハードウェアに限らず、ファームウェアや、ＯＳ、更に周辺機器を含むものであっても良い。
【０１１２】
なお、以上説明した様に、本発明の構成は、ソフトウェア的に実現しても良いし、ハードウェア的に実現しても良い。
【０１１３】
【発明の効果】
以上説明したところから明らかなように、本発明によれば、記録装置や記録フォーマット手段に負担をかけることなく特殊再生や一時停止が可能なトランスポートストリーム再生装置およびトランスポートストリーム処理装置が得られる。
【０１１４】
また、特別なインタフェースも用いる必要なく一時停止を行うことが可能なトランスポートストリーム再生装置およびトランスポートストリーム処理装置が得られる。
【図面の簡単な説明】
【図１】（ａ）本発明の実施の形態１による本発明の実施の形態１によるトランスポートストリーム記録再生装置の記録部の構成図記録部の構成図
（ｂ）本発明の実施の形態１によるトランスポートストリーム記録再生装置の再生部の構成図
【図２】本発明の実施の形態１によるトランスポートストリーム記録再生装置のピクチャ位置検出手段の構成の一例を示す図
【図３】本発明の実施の形態２によるトランスポートストリーム処理装置の構成図
【図４】（ａ）本発明の実施の形態３によるトランスポートストリーム再生装置の構成図
（ｂ）本発明の実施の形態３によるトランスポートストリーム再生装置の動作を説明するための図
【図５】本発明の実施の形態４によるトランスポートストリーム処理装置の構成図
【図６】（ａ）従来の技術によるトランスポートストリーム記録再生装置の記録部の構成図
（ｂ）従来の技術によるトランスポートストリーム記録再生装置の再生部の構成図
【図７】（ａ）従来の技術によるトランスポートストリーム記録再生装置のピクチャ切り出し手段の他の構成例を示す図
（ｂ）ピクチャ切り出し手段の動作を説明するための図
【図８】（ａ）従来の技術によるＨＤＤレコーダとＳＴＢとの動作を説明するための図（ｂ）従来の技術による再生ＨＤＤレコーダと記録ＨＤＤレコーダとの動作を説明するための図
【符号の説明】
１１０  記録部
１１１  フォーマット手段
１１２  記録媒体
１２０  再生部
１２１  逆フォーマット手段
１２２、３０２  ピクチャ位置検出手段
１２３、３０３、４０２  制御手段
１２４  ピクチャ切り出し手段
２００  ＳＤＲＡＭ
２０１  ＳＤＲＡＭ制御部
２０２  ＣＰＵ
２０３、６２３  ＰＩＤフィルタ
２０４  アダプテーションフィルタ
２０５  レジスタ
２０６  比較器
３０１  入力手段
３０４  送出手段
４０１  再生手段
４０３，５０３  ヘッダ検出手段
４０４，５０４  書き換え手段
６２４  付加情報付加手段
【図１】
0003872672.tif 000002
【図２】
0003872672.tif 000003
【図３】
0003872672.tif 000004
【図４】
0003872672.tif 000005
【図５】
0003872672.tif 000006
【図６】
0003872672.tif 000007
【図７】
0003872672.tif 000008
【図８】
0003872672.tif 000009